(57)【要約】【課題】操作性の向上および省スペースを図った電子カメラを提供する。【解決手段】操作手段２は、上下左右操作が可能とされ、再生モード設定時に上下操作がなされると、一覧表示から機能が選択される。一覧表示上では、上下操作のたびに選択すべき機能が上下に移動する。右操作がなされると、選択された機能が「決定」され、その機能に応じた表示に切換わる。左操作がなされると、「決定」が解除されて一覧表示に戻る。カメラモード時には、上下左右操作によりフォーカスエリアが選択される。【選択図】図５
2008263615.tif 000002
【特許請求の範囲】
【請求項１】
撮影を行って画像データを記録するカメラモードと、前記記録された画像データを一画像ずつ再生する再生モードとが設定可能な電子カメラにおいて、
基準位置から第１の方向に離れた第１の操作部、前記基準位置から前記第１の方向とは逆の第２の方向に離れた第２の操作部、前記基準位置から前記第１，第２の方向とは異なる第３の方向に離れた第３の操作部、および前記基準位置から前記第３の方向とは逆の第４の方向に離れた第４の操作部が円状に配置された操作手段と、
前記再生モード設定時に、前記第１および第２の操作部の操作に応答して機能を選択し、前記第３の操作部の操作に応答して前記選択された機能の「決定」を行い、前記第４の操作部の操作に応答して前記「決定」を解除する制御手段とを具備することを特徴とする電子カメラ。
【請求項２】
前記第１および第２の操作部の操作は、表示された複数の機能からいずれかを選択するための操作であり、前記制御手段は、前記再生モード設定時に選択可能な複数の機能を表示手段に一覧表示し、前記第１の操作部の操作に伴って選択すべき機能を前記一覧表示において所定方向に変更し、前記第２の操作部の操作に伴って前記所定方向とは逆の方向に変更することを特徴とする請求項１に記載の電子カメラ。
【請求項３】
前記第１の操作部の操作による機能の変更方向と前記第１の方向とが略一致するとともに、前記第２の操作部の操作による機能の変更方向と前記第２の方向とが略一致していることを特徴とする請求項２に記載の電子カメラ。
【請求項４】
前記制御手段は、前記表示手段が前記一覧表示のときに前記第３の操作部が操作されると、その操作で決定された機能に応じた表示に切換え、その後に前記第４の操作部が操作されると、前記一覧表示に戻すことを特徴とする請求項２または３に記載の電子カメラ。
【請求項５】
前記制御手段は、前記カメラモード設定時には、前記第１〜第４の操作部の操作に応答して撮影条件を設定することを特徴とする請求項１〜４のいずれか１項に記載の電子カメラ。
【請求項６】
前記撮影条件の設定はファインダ内のフォーカスエリアの選択設定であり、前記制御手段は、前記第１〜第４の操作部の操作に応答して選択すべきフォーカスエリアを前記第１〜第４の方向と略一致する方向にそれぞれ変更することを特徴とする請求項５に記載の電子カメラ。
【請求項７】
前記制御手段は、前記一覧表示の前記表示手段上への表示、および前記表示手段上に表示された前記一覧表示の表示解除を同一の操作部材の操作により行うことを特徴とする請求項２に記載の電子カメラ。
【発明の詳細な説明】
【技術分野】
【０００１】
本発明は、撮影を行うカメラモードと、撮影した画像を再生する再生モードとを有する電子カメラに関する。
【背景技術】
【０００２】
この種の電子カメラは、上記カメラモード設定時に撮影レンズの透過光をＣＣＤ等の撮像素子で電気的画像データに変換し、レリーズ操作に伴って画像データをメモリーカードや内蔵メモリ等の記録媒体に記録する。カメラモードで必要な動作は、銀塩フィルムを撮影媒体とする通常のカメラ（銀塩カメラ）と基本的には同じであり、フレーミング、オートフォーカス（ＡＦ）、露出決定（絞りやシャッタ秒時の設定又は演算）などがある。種々の情報設定に関しては、特に機能の多い一眼レフカメラでは共通のコマンドダイヤルで行うのが通例である。
【０００３】
一方、再生モードでは記録媒体に記録された画像データが読み出され、モニター等に映像として再生される。再生モードでの操作は、サムネイル表示からの画像選択や、拡大・縮小，削除，プロテクト，自動送りなどの選択操作がある。これらは表示装置のメニュー表示からいずれかを選択する方式をとっており、この種の操作はカメラモード時の操作とは全く操作感の異なる操作である。
【０００４】
現在知られている電子カメラでは、再生モードで用いる操作部材として図７〜図９に示すものが用いられている。
図７では、カメラ背面に設けられた＋／−ボタン２１，２２で液晶モニター３２に表示されたサムネイル画像を選択したり、メニュー表示での機能選択を行い、選択結果を例えばレリーズボタン３１の操作で決定する。またモニター３２の１コマ表示状態では、＋／−ボタン２１，２２により画像の送り／戻しを行う。メニューボタン３３はモニター画面をメニュー表示状態にする際に操作される。
【０００５】
図８は４入力が可能な押しボタン２３を用いたものである。４入力の割付けは、例えば左右がサムネイル表示での画像選択、上がモード選択（押すごとにモードが切り替わる）、下が選択した画像に対する処置（プロテクト、削除等）の実行や選択したモードの決定（セット）などに割り振られる。具体的には、画像の１コマ表示状態でボタン２３の上側（モード選択）を押すごとに、「プロテクト」→「削除」→「サムネイル」の各モードが循環的に変わり、設定したいモードのとき下側（セット）を押すとそのモードが設定される。「プロテクト」，「削除」をセットすると１コマ表示されている画像が「プロテクト」，「削除」され、「サムネイル」がセットされるとサムネイル表示になる。また、サムネイル表示での画像選択および１コマ表示での画像の送り／戻しをボタン２３の左右を押すことにより行う。
【０００６】
図９は特にメニューの項目の多い多機能カメラに用いられるものある。ダイヤル２４は、回転により設定情報／モードの選択を指令するとともに、径方向に押し込まれることにより押しボタンスイッチとしても機能し、押しボタン機能により選択情報／モードの決定が行われる。サムネイル表示での画像選択はダイヤル２４の回転によって行うが、１コマ表示モードでは押しボタン２５，２６により画像の送り／戻しを行う。「戻る」ボタン２７は、階層構造のメニューにおいて前の階層に戻る際に操作される。より具体的に説明すると、モニター２８が１コマ表示状態でダイヤル２４を押し込むとメニュー画面になり、メニューから実行したい項目をダイヤル２４の回転によりスクロールさせて選択し、ダイアル２４を押し込むことで決定する。メニューのサムネイルを選択／決定した場合はサム
ネイル表示となり、ダイヤル２４の回転によって画像を選択し、押し込むことで決定して１コマ表示させる。メニュー表示状態から未選択のまま元の１コマ表示状態に戻ったり、メニューの階層をひとつ前に戻るときには、戻るボタン２７を押す。  
【発明の開示】
【発明が解決しようとする課題】
【０００７】
上述した各従来方式には次のような欠点がある。
図７の例では、「＋」，「−」，「メニューモード」，「決定」の機能が４つのボタンに分散しており、それぞれのボタンが再生モードにおいて単一の機能しか有しておらず、ボタンの数が多くなる。
【０００８】
図８の例では４つの入力がひとつのボタンで行えるので、ボタン数を減らすことができるが、モード選択がボタンの上部操作にしか割り振られていないため、モード選択の際に誤って設定すべきモードを通り過ぎてしまうと、一度循環して戻ってくるまでボタンを押し続けなければならない。したがって操作性を考慮すると選択できるモードの数をあまり多くできないという問題がある。また、「戻る」機能のボタンがないので、階層構造のメニューなどで誤って先の階層に進んでしまった場合、階層を戻すのに手間がかかる。
【０００９】
図９の例では機能的にボタンは揃っているが、場所が分散しており、また画像を選択する機能がダイヤル２４とボタン２５、２６で重複している。加えてダイヤル２４と他のボタンの操作感が違いすぎて、どの操作部材がいかなる機能を有するかが直感的にわかりにくい。特に「戻る」ボタン２７は、選択や決定を行うダイアルとは別に設けられているので、戻す必要が生じた場合に咄嗟にどのボタンを押してよいのか迷うことがある。
【課題を解決するための手段】
【００１０】
本発明は、撮影を行って画像データを記録するカメラモードと、記録された画像データを一画像ずつ再生する再生モードとが設定可能な電子カメラに適用され、基準位置から第１の方向に離れた第１の操作部、基準位置から第１の方向とは逆の第２の方向に離れた第２の操作部、基準位置から第１，第２の方向とは異なる第３の方向に離れた第３の操作部、および基準位置から第３の方向とは逆の第４の方向に離れた第４の操作部が円状に配置された操作手段と、再生モード設定時に、第１および第２の操作部の操作に応答して機能を選択し、第３の操作部の操作に応答して選択された機能の「決定」を行い、第４の操作部の操作に応答して「決定」を解除する制御手段とを具備することを特徴とする。
再生モード設定時に選択可能な複数の機能を表示手段に一覧表示し、第１の操作部の操作に伴って選択すべき機能を一覧表示において所定方向に変更し、第２の操作部の操作に伴って所定方向とは逆の方向に変更するようにしてもよい。特に、第１の操作部の操作による機能の変更方向と第１の方向とが略一致するとともに、第２の操作部の操作による機能の変更方向と第２の方向とが略一致するようにしてもよい。
表示手段が一覧表示のときに第３の操作部が操作されると、その操作で決定された機能に応じた表示に切換え、その後に第４の操作部が操作されると、一覧表示に戻すようにしてもよい。
カメラモード設定時には、第１〜第４の操作部の操作に応答して撮影条件を設定するようにしてもよい。撮影条件の設定はファインダ内のフォーカスエリアの選択設定であってもよく、第１〜第４の操作部の操作に応答して選択すべきフォーカスエリアを第１〜第４の方向と略一致する方向にそれぞれ変更するようにしてもよい。
【発明の効果】
【００１１】
本発明によれば、操作手段の第１および第２の操作部の操作に応答して画像または機能を選択し、操作手段の第３の操作部の操作に応答して選択された画像または機能の「決定」を行い、第４操作部の操作に応答して「決定」を解除するようにした。また、第１および第２の操作部の操作に応答して機能を選択し、第３の操作部の操作に応答して選択された機能の下位階層メニューへの遷移を行い、第４の操作部の操作に応答して前記選択された機能の上位階層メニューへの遷移を行うようにしたので、多くの操作が操作手段から指を離さずに行え、操作性の向上および省スペース化に寄与する。特に「決定」（下位階層メニューへの遷移）と対照的な機能である「解除」（上位階層メニューへの遷移）を「決定」（下位階層メニューへの遷移）の反対側に配置したので、誤った決定をしたときに反対側を押すことで誤った決定が取り消せることが、瞬間的な人間の反応に適合していて分かり易く、操作に迷うことがない。また、カメラ本体背面の表示手段の右側に操作手段を設けたので、表示手段を見ながらの操作をカメラ本体を把持した際の右手親指で楽に行うことができる。また操作手段をカメラモードと再生モードで兼用するようにすれば、更なる省スペース化および部品点数の低減が図れ、以てコストダウンが図れる。
【発明を実施するための最良の形態】
【００１２】
図１〜図６により本発明の一実施の形態を説明する。
図１は本実施の形態に係る一眼レフ型電子カメラ（以下、単にカメラと呼ぶ）１を背面側から見た斜視図である。このカメラ１は、前述したカメラモードと再生モードとが設定可能とされ、カメラ背面には液晶モニター４が設けられている。液晶モニター４は、撮影レンズを透過しＣＣＤ（不図示）で撮像された画像をリアルタイムで表示したり、記録媒体に既に記録された画像を再生したり、また画像再生時の機能を設定するためのメニュー表示をも行う。
【００１３】
液晶モニター４の図示右側、つまりカメラのグリップ１ｇの背面側には円形の４入力ボタン２が設けられている。この４入力ボタン２は、本出願人による特願平８−８８８９０号に開示されたと同様のもので、図２にも示すようにその表面には中心より図示上下左右方向に離れた位置に指標２ａ〜ｄがそれぞれ設けられている。各指標部分を押圧することによりボタン全体がその方向に傾き、各指標に対応するスイッチＳＷ１〜ＳＷ４（図３）がオンする。押圧を解除するとボタン２は元の状態に復帰し、スイッチはオフする。スイッチＳＷ１〜ＳＷ４のオン・オフ状態は図３のＣＰＵ５０に入力され、ＣＰＵ５０はそのオン・オフに基づいて後述する動作を行う。以下、４入力ボタン２の指標（２ａ）部分の操作を上操作、下指標（２ｂ）部分の操作を下操作、左指標（２ｃ）部分の操作を左操作、右指標（２ｄ）部分の操作を右操作とそれぞれ呼ぶ。右指標２ｄの右側には、右操作位置を示すマークＭＫ（例えば赤い丸印）が刻設されている。
【００１４】
本実施の形態では、４入力ボタン２をカメラモードと再生モードの双方で用いる。カメラモードで４入力ボタン２が操作されると、ＣＰＵ５０はファインダ画面に設けられた５つのフォーカスエリア３ａ〜３ｅ（図４）からいずれかを選択する。上下操作を行う毎に選択エリアが３ａ，３ｂ，３ｃ内で上下に移動し、左右操作を行う毎に選択エリアが３ｅ，３ｂ，３ｄ内で左右に移動する。
【００１５】
一方、再生モードでは、４入力ボタン２の右操作を「メニュー」および「決定」に、左操作を「戻る」に、上下操作はそれぞれの方向へのスクロールや画像送りに割り当てる。具体的な操作例を以下に説明する。
モニター４上に１コマの画像が再生されているときに４入力ボタン２の上操作を行うと、ＣＰＵ５０は表示画像を次の画像に変え、下操作を行うと前の画像に戻す。また右操作を行うと、図５（ａ）に示すようなメニュー項目（機能）の一覧表示を行い、ここでは４つの項目を表示する。四角で囲まれている項目は現在選択されている項目（ただし、まだ決定されていない）であり、色が反転している。この状態で下操作を行うごとに図５（ｂ）に示すように選択項目が１つずつ下に移り、上操作を行うと上に移る。項目を選択してから右操作（決定）を行うと（図５（ｃ））、その項目が「決定」され、それに応じた表示となる。例えば「サムネイル」を選択して決定すると、液晶モニターが図６（ａ）に示すようなサムネイル表示となる。
【００１６】
サムネイル表示では、４入力ボタン２の上下操作が画像選択操作となる。その際、４入力ボタンの操作位置と選択画像の移動方向が一致しており、上操作で上に、下操作で下に選択画像が変更される。例えば最下段の画像選択時に下操作を行うと隣の列に移るようにすればよい。
【００１７】
一方、「サムネイル」を選択決定したが、これが誤りであった場合、左操作（戻る）を
行えばメニュー項目表示に戻り（図６（ｂ））、上下操作で意図するメニューを選択し直すことができる。例えば意図するメニュー項目が「プリント」であった場合には、「プリント」を選択して右操作（決定）を行えばよい。「プリント」は階層構造になっており、上記右操作により図６（ｃ）に示すような更に下層のメニュー項目が表示される。ここで「全画像」か「選択画像」かを上下操作で選択し、右操作で決定する。図６（ｃ）の状態で「プリント」を中止する場合には、左操作を１回行えばメニュー項目表示に戻り、続けて左操作を行えばメニュー項目表示を抜けて１コマ表示に戻る。
【００１８】
本実施の形態では、４入力ボタン２の４入力機能を上述のように割り当てたので、次のような効果がある。
再生モードでのほとんどの操作がひとつのボタン２から指を離さずに行えるので、操作性に優れ、また省スペース化にも貢献する。さらにメニューに入る「メニュー」機能と「決定」機能とが同じ位置の操作（右操作）でなされるので、直感的に分かりやすく、また従来でも踏襲されているやり方であってなじみやすい。しかも「決定」と対照的な機能である「戻る」を「決定」の反対側（左側）に配置したので、誤った決定をしたときに反対側を押すことで誤った決定が取り消せることが、瞬間的な人間の反応に適合していて分かり易い。
【００１９】
またカメラモードでも再生モードでも４入力ボタン２の操作位置と選択対象の変更方向とが一致しているので（カメラモードでは４方向一致、再生モードでは２方向一致）、感覚的に分かり易く迷うことなく迅速に選択が行える。さらに４入力ボタン２はカメラグリップ１ｇの背面側に位置しているので、カメラモード時に右手でグリップ１ｇをホールドしたまま右手の親指で楽に操作でき、操作性に優れている。
以上のように４入力ボタン２の各機能が説明がなくとも感覚的に分かり易いため、メニュー／決定の位置さえマークＭＫで明示すれば、他のボタンの各機能を明示せずとも感覚的にすぐ理解できる。
【００２０】
以上の実施の形態の構成において、４入力ボタン２が操作部材を、ＣＰＵ５０が制御手段を、液晶モニター４が表示手段をそれぞれ構成する。また、４入力ボタン２の上下操作が第１，第２の操作部の操作に、右操作が第３の操作部の操作に、左操作が第４の操作部の操作にそれぞれ相当する。
【００２１】
図１０は他の実施の形態における操作部材を示している。この操作部材２’は上・左・右操作が可能な３入力スイッチであり、上操作（指標２ａ’部分の操作）、左操作（指標２ｃ’部分の操作）および右操作（指標２ｄ’部分の操作）に対する機能割り当ては先の実施の形態と同じである。先の実施の形態における下操作はないが、上操作により選択項目をサイクリックに切換えることができる。本実施の形態では、上操作が選択操作部の操作に、右操作がセット操作部の操作に、左操作がリセット操作部の操作にそれぞれ相当する。
【００２２】
なお以上では、４入力ボタン２の上下操作を選択操作に、右左操作を「メニュー」／「決定」および「戻る」操作に割り付けたが、逆に左右を選択操作とし、上下を「メニュー」／「決定」および「戻る」操作としてもよい。またメニュー項目の種類も上述のものに限定されない。さらに液晶モニターを内蔵するカメラにて説明したが、表示手段はカメラに接続可能な外部モニター（例えばテレビ）であってもよい。また、カメラモードにおける４入力ボタン２の機能もフォーカスエリアの選択に限定されず、例えば上下操作で撮影レンズのズームアップ／ダウン、左右操作でフォーカス（至近側，無限遠側）のように割り付けてもよい。
【図面の簡単な説明】
【００２３】
【図１】本発明の一実施の形態に係る電子カメラを背面側から見た斜視図。
【図２】４入力ボタンを示す図。
【図３】制御系を示すブロック図。
【図４】フォーカスエリアの選択を説明する図。
【図５】４入力ボタンの操作による機能の切換えを説明する図。
【図６】図５と同様の図。
【図７】従来カメラの一例を示す斜視図。
【図８】他の従来カメラの操作部材を示す図。
【図９】他の従来カメラを示す斜視図。
【図１０】他の実施の形態に係るカメラの操作部材を示す図。
【符号の説明】
【００２４】
１  電子カメラ
２  ４入力ボタン
２ａ  指標
２’  ３入力ボタン
３ａ〜３ｅ  フォーカスエリア
４  液晶モニター
５０  ＣＰＵ
ＳＷ１〜ＳＷ４  スイッチ
【図１】
2008263615.tif 000003
【図２】
2008263615.tif 000004
【図３】
2008263615.tif 000005
【図４】
2008263615.tif 000006
【図５】
2008263615.tif 000007
【図６】
2008263615.tif 000008
【図７】
2008263615.tif 000009
【図８】
2008263615.tif 000010
【図９】
2008263615.tif 000011
【図１０】
2008263615.tif 000012